【手続補正書】
【提出日】平成18年4月26日(2006.4.26)
【手続補正１】
【補正対象書類名】明細書
【補正対象項目名】特許請求の範囲
【補正方法】変更
【補正の内容】
【特許請求の範囲】
【請求項１】
クライアントに対するデータ提供処理を実行するサーバ装置であり、
クライアントとのデータ送受信を実行する通信部と、
コンテンツと、コンテンツに対応するメタデータとしてのコンテンツ情報を記憶した記憶部と、
コンテンツの変速再生コンテンツデータを生成する変速再生コンテンツ生成部とを有し、
前記通信部を介して受信するクライアントからのコンテンツ要求に基づき、前記記憶部からコンテンツを取得するとともに、該コンテンツ要求に変速再生要求が設定されていることを条件として前記変速再生コンテンツ生成部において、変速再生コンテンツデータを生成し、該変速再生コンテンツデータをクライアントに送信する処理を実行する構成を有することを特徴とするサーバ装置。
【請求項２】
前記記憶部に格納したコンテンツ情報には、コンテンツに対応して許容される変速再生態様を示す変速再生情報を含み、
前記サーバ装置は、
前記通信部を介して受信するクライアントからのコンテンツ情報要求に基づき、前記変速再生情報のクライアントに対する提供処理を実行する構成であることを特徴とする請求項１に記載のサーバ装置。
【請求項３】
前記変速再生情報は、
通常再生速度に対応する再生速度倍率情報、または、前記サーバ装置において予め設定した各変速再生態様に応じたレベル情報の少なくともいずれかを含む情報であることを特徴とする請求項２に記載のサーバ装置。
【請求項４】
前記サーバ装置は、
クライアントからのコンテンツ要求パケットからコンテンツ識別子、および変速再生要求情報を取得し、前記コンテンツ識別子に基づいて前記記憶部からコンテンツ識別子に対応するコンテンツを取得するとともに、前記変速再生要求情報に含まれる再生態様指定情報に基づき、前記変速再生コンテンツ生成部において指定態様に応じた変速再生コンテンツデータを生成する構成であることを特徴とする請求項１に記載のサーバ装置。
【請求項５】
前記サーバ装置は、
変速再生コンテンツデータをクライアントに送信する際に、送信コンテンツの変速再生態様情報を付加情報として設定し送信する構成であることを特徴とする請求項１に記載のサーバ装置。
【請求項６】
前記変速再生態様情報は、通常再生速度に対応する再生速度倍率情報であることを特徴とする請求項５に記載のサーバ装置。
【請求項７】
前記サーバ装置は、
前記サーバ装置において予め設定した各変速再生態様に応じたレベル情報と、通常再生速度に対応する再生速度倍率情報とを対応付けた変換テーブルを有し、
クライアントからのコンテンツ要求に設定されている変速再生要求が変速再生態様に応じたレベル情報である場合に、前記変換テーブルに基づいて再生速度倍率を取得し、該再生速度倍率情報をクライアントに対するコンテンツ送信に際して送信する構成であることを特徴とする請求項１に記載のサーバ装置。
【請求項８】
クライアントからのコンテンツ要求は、コンテンツＵＲＩを指定したＨＴＴＰ(Hyper Text Transfer Protocol)−ＧＥＴメソッドに基づくＨＴＴＰリクエストであり、前記サーバ装置は、該ＨＴＴＰリクエストに対応するＨＴＴＰレスポンスとして、前記変速再生コンテンツデータおよび変速再生態様情報をクライアントに送信する構成であることを特徴とする請求項１に記載のサーバ装置。
【請求項９】
サーバに対するコンテンツ要求を実行するクライアントとしての情報処理装置であり、
サーバとのデータ送受信を実行する通信部と、
サーバに対する要求コンテンツに対応するコンテンツ識別子と、コンテンツの変速再生指定情報を設定したコンテンツ要求を生成する処理を実行するコンテンツ要求処理部とを有し、
前記コンテンツ要求処理部において生成した変速再生指定情報を設定したコンテンツ要求を前記通信部を介してサーバに送信する構成を有することを特徴とする情報処理装置。
【請求項１０】
前記変速再生指定情報は、通常再生速度に対応する再生速度倍率情報、または、前記サーバ装置において予め設定した各変速再生態様に応じたレベル情報のいずれかを含む情報であることを特徴とする請求項９に記載の情報処理装置。
【請求項１１】
前記情報処理装置は、
サーバから受信する変速再生コンテンツデータのディスプレイに対する表示処理に併せて、サーバから受信するコンテンツの変速再生態様情報の表示処理を実行する構成であることを特徴とする請求項９に記載の情報処理装置。
【請求項１２】
前記変速再生態様情報は、通常再生速度に対応する再生速度倍率情報であることを特徴とする請求項１１に記載の情報処理装置。
【請求項１３】
前記コンテンツ要求処理部は、
サーバに対するコンテンツ要求として、コンテンツ識別子としてのコンテンツＵＲＩを設定するとともに、変速再生指定情報を設定したＨＴＴＰ(Hyper Text Transfer Protocol)−ＧＥＴメソッドに基づくＨＴＴＰリクエストを生成する構成であることを特徴とする請求項９に記載の情報処理装置。
【請求項１４】
クライアントに対するデータ提供処理を実行する情報処理方法であり、
クライアントからのコンテンツ要求を受信する要求受信ステップと、
前記コンテンツ要求に基づき記憶部からコンテンツを取得するコンテンツ取得ステップと、
前記コンテンツ要求に変速再生要求が設定されていることを条件として前記記憶部からの取得コンテンツに対応する変速再生コンテンツデータを生成する変速再生コンテンツ生成ステップと、
前記変速再生コンテンツデータをクライアントに送信するコンテンツ送信ステップと、
を有することを特徴とする情報処理方法。
【請求項１５】
前記情報処理方法において、さらに、
クライアントからのコンテンツ情報要求を受信するステップと、
前記コンテンツ情報要求に基づき記憶部から、コンテンツに対応して許容される変速再生態様を示す変速再生情報を取得し、クライアントに送信するステップと、
を有することを特徴とする請求項１４に記載の情報処理方法。
【請求項１６】
前記変速再生情報は、
通常再生速度に対応する再生速度倍率情報、または、前記サーバ装置において予め設定した各変速再生態様に応じたレベル情報の少なくともいずれかを含む情報であることを特徴とする請求項１５に記載の情報処理方法。
【請求項１７】
前記情報処理方法は、さらに、
クライアントからのコンテンツ要求パケットからコンテンツ識別子、および変速再生要求情報を取得するステップと、
前記コンテンツ識別子に基づいて前記記憶部からコンテンツ識別子に対応するコンテンツを取得するステップと、
前記変速再生要求情報に含まれる再生態様指定情報に基づき、指定態様に応じた変速再生コンテンツデータを生成するステップと、
を有することを特徴とする請求項１４に記載の情報処理方法。
【請求項１８】
前記情報処理方法は、さらに、
変速再生コンテンツデータをクライアントに送信する際に、送信コンテンツの変速再生態様情報を付加情報として設定し送信することを特徴とする請求項１４に記載の情報処理方法。
【請求項１９】
前記変速再生態様情報は、通常再生速度に対応する再生速度倍率情報であることを特徴とする請求項１８に記載の情報処理方法。
【請求項２０】
前記情報処理方法は、さらに、
クライアントからのコンテンツ要求に設定されている変速再生要求が変速再生態様に応じたレベル情報である場合に、変速再生態様に応じたレベル情報と、通常再生速度に対応する再生速度倍率情報とを対応付けた変換テーブルに基づいて再生速度倍率を取得し、該再生速度倍率情報をクライアントに対するコンテンツ送信に際して送信するステップを有することを特徴とする請求項１４に記載の情報処理方法。
【請求項２１】
クライアントからのコンテンツ要求は、コンテンツＵＲＩを指定したＨＴＴＰ(Hyper Text Transfer Protocol)−ＧＥＴメソッドに基づくＨＴＴＰリクエストであり、
前記コンテンツ送信ステップは、
ＨＴＴＰリクエストに対応するＨＴＴＰレスポンスとして、前記変速再生コンテンツデータおよび変速再生態様情報をクライアントに送信するステップであることを特徴とする請求項１４に記載の情報処理方法。
【請求項２２】
サーバに対するコンテンツ要求を実行する情報処理方法であり、
サーバに対する要求コンテンツに対応するコンテンツ識別子と、コンテンツの変速再生指定情報を設定したコンテンツ要求を生成するコンテンツ要求生成ステップと、
前記コンテンツ要求生成ステップにおいて生成した変速再生指定情報を設定したコンテンツ要求を通信部を介してサーバに送信する送信ステップと、
を有することを特徴とする情報処理方法。
【請求項２３】
前記変速再生指定情報は、通常再生速度に対応する再生速度倍率情報、または、前記サーバ装置において予め設定した各変速再生態様に応じたレベル情報のいずれかを含む情報であることを特徴とする請求項２２に記載の情報処理方法。
【請求項２４】
前記情報処理方法は、さらに、
サーバから受信する変速再生コンテンツデータのディスプレイに対する表示処理に併せて、サーバから受信するコンテンツの変速再生態様情報の表示処理を実行するステップを有することを特徴とする請求項２２に記載の情報処理方法。
【請求項２５】
前記変速再生態様情報は、通常再生速度に対応する再生速度倍率情報であることを特徴とする請求項２４に記載の情報処理方法。
【請求項２６】
前記コンテンツ要求生成ステップは、
サーバに対するコンテンツ要求として、コンテンツ識別子としてのコンテンツＵＲＩを設定するとともに、変速再生指定情報を設定したＨＴＴＰ(Hyper Text Transfer Protocol)−ＧＥＴメソッドに基づくＨＴＴＰリクエストを生成することを特徴とする請求項２２に記載の情報処理方法。
【請求項２７】
情報処理装置において、クライアントに対するデータ提供処理を実行させるコンピュータ・プログラムであり、
通信部において、クライアントからのコンテンツ要求を受信させる要求受信ステップと、
変速再生コンテンツ生成部において、前記コンテンツ要求に基づき記憶部からコンテンツを取得させるコンテンツ取得ステップと、
変速再生コンテンツ生成部において、前記コンテンツ要求に変速再生要求が設定されていることを条件として前記記憶部からの取得コンテンツに対応する変速再生コンテンツデータを生成させる変速再生コンテンツ生成ステップと、
前記通信部において、前記変速再生コンテンツデータをクライアントに送信させるコンテンツ送信ステップと、
を実行させることを特徴とするコンピュータ・プログラム。
【請求項２８】
情報処理装置において、サーバに対するコンテンツ要求を実行させるコンピュータ・プログラムであり、
コンテンツ要求処理部において、サーバに対する要求コンテンツに対応するコンテンツ識別子と、コンテンツの変速再生指定情報を設定したコンテンツ要求を生成させるコンテンツ要求生成ステップと、
前記通信部において、前記コンテンツ要求生成ステップにおいて生成した変速再生指定情報を設定したコンテンツ要求をサーバに送信させる送信ステップと、
を実行させることを特徴とするコンピュータ・プログラム。
【手続補正２】
【補正対象書類名】明細書
【補正対象項目名】００４４
【補正方法】変更
【補正の内容】
【００４４】
さらに、本発明の第５の側面は、
情報処理装置において、クライアントに対するデータ提供処理を実行させるコンピュータ・プログラムであり、
通信部において、クライアントからのコンテンツ要求を受信させる要求受信ステップと、
変速再生コンテンツ生成部において、前記コンテンツ要求に基づき記憶部からコンテンツを取得させるコンテンツ取得ステップと、
変速再生コンテンツ生成部において、前記コンテンツ要求に変速再生要求が設定されていることを条件として前記記憶部からの取得コンテンツに対応する変速再生コンテンツデータを生成させる変速再生コンテンツ生成ステップと、
前記通信部において、前記変速再生コンテンツデータをクライアントに送信させるコンテンツ送信ステップと、
を実行させることを特徴とするコンピュータ・プログラムにある。
【手続補正３】
【補正対象書類名】明細書
【補正対象項目名】００４５
【補正方法】変更
【補正の内容】
【００４５】
さらに、本発明の第６の側面は、
情報処理装置において、サーバに対するコンテンツ要求を実行させるコンピュータ・プログラムであり、
コンテンツ要求処理部において、サーバに対する要求コンテンツに対応するコンテンツ識別子と、コンテンツの変速再生指定情報を設定したコンテンツ要求を生成させるコンテンツ要求生成ステップと、
前記通信部において、前記コンテンツ要求生成ステップにおいて生成した変速再生指定情報を設定したコンテンツ要求をサーバに送信させる送信ステップと、
を実行させることを特徴とするコンピュータ・プログラムにある。